(57)【要約】  【課題】  【解決手段】  パネルにおいて：前記パネルの周辺を規定するフレーム部材（７０）と；前記フレーム（７０）によって保持される第１の壁（７７）と、当該第１の壁（７７）に対向し、前記第１の壁（７７）と共に前記パネルの内部空間（７３、７４）を規定する第２の壁（７９）と；前記第１（７７）及び第２の壁（７９）の中間に前記内部空間内に配置された少なくとも一の中間壁（７８）を更に具えるパネルであって、前記中間壁（７８）と前記第１の壁（７７）の間の前記内部空間内に第１の空間（７３）を、前記中間壁（７８）と前記第２の壁（７９）の間に前記中間スペース内に第２の空間（７４）をつくるパネルと；を具え、前記フレームが第１、第２および中間壁を受けて保持する各々の隣あう面（８０、８１、８２）を具え；前記中間壁（７８）が前記第１の壁（７７）を前記第２の壁（７９）から絶縁するパネル。【選択図】    図９
2007504424.tif 000002
【特許請求の範囲】
【請求項１】
パネルにおいて：
前記パネルの周辺を規定するフレームと；
前記フレームによって保持される第１の壁と、当該第１の壁に対向し、前記第１の壁と共に前記パネルの内部空間を規定する第２の壁と；
前記第１及び第２の壁の中間に前記内部空間内に配置された少なくとも一の中間壁を具えるパネルであって、前記中間壁と前記第１の壁の間の前記内部空間内に第１の空間を、前記中間壁と前記第２の壁の間に前記中間スペース内に第２の空間を作るパネルと；を具え、前記フレームが第１、第２および中間壁を受けて保持する各々隣合う面を具え、前記中間壁が前記第１の壁を前記第２の壁から絶縁することを特徴とするパネル。
【請求項２】
請求項１に記載のパネルにおいて、前記第１及び第２の壁が、前記フレームによって周辺に固定されたガラス板であることを特徴とするパネル。
【請求項３】
請求項２に記載のパネルにおいて、前記フレームが外部パネル壁を形成している第１のガラス板用の第１の溝と、中間絶縁板用の第２の溝と、内部ガラス板用の第３の溝を規定することを特徴とするパネル。
【請求項４】
請求項３に記載のパネルにおいて、前記第１、第２、及び第３の壁を受けて保持する前記隣り合う表面が、それぞれ、第１、第２、および第３の溝内に位置していることを特徴とするパネル。
【請求項５】
請求項４に記載のパネルにおいて、前記中間壁が、硬質熱プラスチック材料でできていることを特徴とするパネル。
【請求項６】
請求項５に記載のパネルにおいて、前記中間壁が、前記ガラス板間の中間に装着されていることを特徴とするパネル。
【請求項７】
請求項６に記載のパネルにおいて、前記隣り合う表面が、前記フレームに形成されたショルダであることを特徴とするパネル。
【請求項８】
請求項７に記載のパネルにおいて、前記ガラス板と中間壁が、前記硬質接着剤を用いて前記フレームのショルダに取り付けられていることを特徴とするパネル。
【請求項９】
請求項８に記載のパネルにおいて、前記フレームがプラスチックの押し出し成型品から形成されており、前記ガラス板の少なくとも一のエッジと、前記中間プラスチック壁の少なくとも一のエッジで受ける隣り合う面を具えることを特徴とするパネル。
【請求項１０】
請求項９に記載のパネルにおいて、前記中間壁と前記第１及び第２のガラス板間の空間が、前記第１及び／又は第２のガラス板の中間壁によって絶縁を最大にするようにスペースが開けられていることを特徴とするパネル。
【請求項１１】
請求項１０に記載のパネルにおいて、前記ショルダが前記内側ガラス板から前記外側ガラス板へカスケード接続されていることを特徴とするパネル。
【請求項１２】
請求項１１に記載のパネルにおいて、前記外側板用の溝が、前記中間板および内側板用の各溝と異なる面積を有することを特徴とするパネル。
【請求項１３】
請求項１２に記載のパネルにおいて、前記ガラス板間の空間が空気及び／又はアルゴンガスで満たされていることを特徴とするパネル。
【請求項１４】
請求項１３に記載のパネルにおいて、前記中間壁が透明であることを特徴とするパネル。
【請求項１５】
請求項１４に記載のパネルにおいて、前記ガラス板間のスペースが、前記フレーム内に位置するラテックスバルブを介して空気及び／又はアルゴンガスで満たされていることを特徴とするパネル。
【請求項１６】
請求項１５に記載のパネルにおいて、前記フレーム押し出し成型品中の少なくとも一のキャビティ内に乾燥チャンバが形成されており、前記フレーム内において乾燥した湿度吸収粒で満たされていることを特徴とするパネル。
【請求項１７】
請求項１６に記載のパネルにおいて、前記フレーム押し出し成型品中の前記キャビティが、プラスチックのキャップを使用して密封されていることを特徴とするパネル。
【請求項１８】
請求項１７に記載のパネルにおいて、磁化したフレキシブルガスケットが、前記フレーム中のガスケット保持溝に挿入されており、これによって、パネルと、パネルが取り付けられている品物間に気密シーリングを提供することを特徴とするパネル。
【請求項１９】
請求項１８に記載のパネルにおいて、前記中間壁が前記ガラス板をその他の板から絶縁することを特徴とするパネル。
【請求項２０】
請求項１９に記載のパネルにおいて、前記パネルが冷蔵庫／冷凍庫ドアとして使用されることを特徴とするパネル。
【請求項２１】
請求項２０に記載のパネルにおいて、前記パネルが窓として使用されることを特徴とするパネル。
【請求項２２】
３重板で絶縁した冷蔵庫／冷凍庫ドアパネルにおいて：
周辺フレームと；
前記パネルの内側空間を規定する第１の板と、前記第１の板に対向し、前記内側空間を規定する第２の板とを具え；前記各板が前記周辺フレームによって保持され；前記パネルが更に、前記内側空間内に前記第１及び第２の板の間に配置された少なくとも一の中間板を具え、前記中間板と前記第１の板との間の前記内側空間に第１のギャップを、前記中間板と前記第２の板との間の前記中間空間内に第２のギャップができ；前記第１、第２および中間板が、前記フレームの内側面上のショルダをカスケード接続することによって支持されていることを特徴とするパネル。
【請求項２３】
冷却カップボード、冷蔵庫、冷凍庫、などに使用するドアにおいて；
前記ドアが周辺フレームを具え、
前記フレームに接続した第１の被覆と；
前記フレームに接続された第２の被覆であって、前記第１及び第２の被覆が、これらの間に内部空間を規定する第１の被覆に対向するように配置された第２の被覆と；
前記内部空間内で前記第２の被覆から前記第１の被覆を絶縁する中間壁部材を具えるドアと；
を具えることを特徴とするドア。
【請求項２４】
内部空間内で互いに規定する内側及び外側ガラスパネルを有する２重／３重のガラスで絶縁した冷蔵庫／冷凍庫ドアにおいて、前記内部空間が、前記ガラスパネルの一つをその他のパネルから絶縁する平坦パネルを具え、これによって前記ガラスパネル上の結露を低減／除去することを特徴とするドア。
【請求項２５】
中間エアスペースを規定する二つのガラス板が配置されているプラスチックフレームを具えるパネルにおいて；前記内部空間が前記二つのガラス板を分離し絶縁する少なくとも一の内部平坦部材を具え、これによって前記ガラス板及びドアフレーム上の結露を低減／除去し；前記フレームが前記ガラス板と前記内部平坦絶縁部材を受けて保持するための分離した隣り合うショルダを規定することを特徴とするパネル。
【請求項２６】
第１の壁と対向する第２の壁を有する３重のガラスで絶縁された冷蔵庫／冷凍庫ドアパネルにおいて；前記対向する壁が互いに内部空間を規定しており；前記内部空間が、前記パネルの一方あるいは両方を絶縁する中間壁を具え；これによって前記パネルの上の結露を低減／除去することを特徴とするドアパネル。
【請求項２７】
請求項２６に記載のパネルにおいて、前記フレームがプラスチック押し出し成型品であることを特徴とするパネル。
【請求項２８】
請求項２６に記載のパネルにおいて、前記第１及び第２の壁がガラス板でできていることを特徴とするパネル。
【請求項２９】
請求項２８に記載のパネルにおいて、前記中間壁がクリアな透明プラスチック材料でできていることを特徴とするパネル。
【請求項３０】
内部空間を規定する二つの板を配置した熱プラスチックでできた周辺フレームを具えるパネルの構築方法において；前記内部空間が、前記２枚の板を絶縁する少なくとも一つの内部平坦絶縁部材を具え、これによって、前記板およびフレーム上の結露を低減し、
前記方法が：
ａ）所定のサイズの二つのガラス板を準備するステップと；
ｂ）絶縁部材を準備するステップと；
ｃ）完体フレームが３つのショルダ領域を含むように熱プラスチック押し出し成型品からフレームを構成するステップと；
ｄ）前記フレームの内側ショルダに前記第１の板を取り付けるステップと；
ｅ）前記絶縁部材を、前記フレームの外側表面に対する中央位置に配置された前記フレームの第２のショルダに取り付けるステップと；
ｆ）前記第２のガラス板を第３のショルダに取り付けて、前記パネルの外側表面を形成するステップと；
を具え、前記板が、前記第１及び第２の板が内部パネルを規定するように配置されており、前記絶縁部材が前記第１及び第２の板の中間に位置しており；前記内部空間と絶縁部材が前記第１及び第２の板を絶縁する；
ことを特徴とする方法。
【請求項３１】
請求項３０に記載の方法において、前記第１及び第２の板が透明ガラスであることを特徴とする方法。
【請求項３２】
内部空間を規定する二つのガラス板を配置するフレームを有するパネルを構成する方法であって；前記内部空間が、前記二つのガラス板を絶縁する少なくとも一の内部平坦部材を具え、これによって、前記ガラス板とドアフレーム上の結露を低減又は除去し：
当該方法が：
ａ）所定のサイズの二つのガラス板を準備するステップと；
ｂ）絶縁部材を準備するステップと；
ｃ）プラスチック押し出し成型品から、当該押し出し成型品が前記板と前記絶縁部材を受けて保持することができる各支持ショルダを具えるように、フレームを構成するステップと；
ｄ）前記ガラス板と前記プラスチックの絶縁パネルを、前記パネルが対向する関係にあり、前記絶縁部材を収納する内部空間を規定するように、前記フレームの各支持ショルダに取り付けるステップと；
を具えることを特徴とする方法。
【請求項３３】
パネルを構成する方法において、前記方法が、更に、前記板の絶縁を最大にするために前記第１及び第２のガラス板から均等な最適間隔で前記平坦絶縁部材を配置するステップを具えることを特徴とする方法。
【請求項３４】
請求項３０又は３３に記載のパネルを構成する方法が更に：
ａ）前記フレーム内に吸収粒を導入するステップと；
ｂ）前記内部空間を密封するステップと；
ｃ）バルブを介して前記内部空間に空気及び／又はアルゴンガスを導入するステップと；
を具えることを特徴とする方法。
【発明の詳細な説明】
【技術分野】
【０００１】
発明の背景
本発明は、絶縁ガラスドアおよび窓構造の改良に関するものであり、特にこのようなガラスドアの外側面および窓構造の内側面の結露を防ぐあるいは低減する装置及び方法に関する。より詳しくは、本発明は、ガラスのはまった窓（熱及び音の遮蔽用に用いる）と冷蔵庫、特に工業用及び商業用の冷蔵庫と共に使用されるような、絶縁ガラスでできたドア／窓構造の構造上の改良に関する。本発明は、また、絶縁ガラスドア及び窓の製造経費の改良に関する。本発明は、主にガラスのドアにおける用途、および特に冷蔵庫としてのこのような用途に使用される３重にガラスのはまったドアについて述べられているが、本発明がガラスを使用する窓およびあらゆる構造におけるその他の領域の用途に用いることができ、２重あるいは３重のガラス窓に限定されるものでないことは、当業者には自明である。
【背景技術】
【０００２】
従来技術
工業用および商業用の冷蔵庫、特に、店頭や様々な施設で使用されている冷蔵キャビネットでは、冷蔵されている内容物を絶縁するために、２重及び／又は３重のガラスのはまったドアが使用されている。
【０００３】
例えば冷蔵庫、冷凍庫、その他におけるガラスドア構造など、保存コンパートメント内で周辺外気温度と実質的に異なる温度を維持する必要があるところのいくつかのガラスドア構造は、結露を防ぐためにドアフレームと外側ガラスパネルを暖める電流と金属フィルムが用いられており、収納されている品物にクリアな可視性を提供している。
【０００４】
このような従来のガラスドアは、ガラスドア自体を電気的に暖める必要があるばかりでなく、熱が伝導するために、内部の冷蔵を維持するために更なるエネルギィを必要とする。
【０００５】
更に、従来の絶縁ガラスドアは、一つのガラスユニット完体をつくるためにスペーサバーに固定した平行なガラス板を具えている。このガラス板アッセンブリは、絶縁ガラスドアの構造を完成するために、金属またはコンポジット構造の周辺ドアフレーム内に封入される。ドアパネルとドアフレームを最適な温度に維持するのに必要な加熱装置は、ドアと冷蔵庫／冷凍庫の全体のコストを高くすると共に、ドアパネルとドアフレームの構造を複雑なものにし、追加の回路が必要であり、一般的に使用されている空調機同様に冷蔵庫／冷凍庫のランニングコストが必要である。
【０００６】
冷蔵庫／冷凍庫のドア内またはドアの上、特に二重／三重窓を有する冷蔵庫／冷凍庫のドアの上の結露を防止する、より効率が良くて経済的な手段を提供することが業界において長い間求められていた。
【０００７】
発明の概要
本発明は、冷蔵庫、特に工業用および商業用の冷蔵庫に関連して使用される絶縁ガラスドア構造体の構造に改良を提供するものであり、ガラスおよびドアフレームの表面につく結露を低減あるいは除去する手段が提供されている。このような冷蔵庫／冷凍庫のドアのガラス表面は、透明性を保って顧客が冷蔵庫／冷凍庫の内容物を検分できることが求められる。
【０００８】
ここに述べる本発明が様々な変更および変形が可能であり、ここに述べている図に示す実施例は限定的なものでないことは、当業者には自明である。したがって、図面に示す実施例は、本発明の一実装例に過ぎない。本発明の範囲内に入る様々な実施例、代替の構造、均等物がある。
【０００９】
冷蔵庫／冷凍庫のキャビネットのドアに適用される以下に述べる本発明は、ドアまたは窓などで低温で比較的ドライエアの領域をより高い温度とより高い相対湿度を有する領域から分離する様々なアプリケーションに適用することができる。後者のケースでは、本発明にかかるパネルは、外側表面に通常生じるであろう結露を防止するのに使用することができる。この外側表面では、一方の側の温度が十分に低く、他方の側に伝導されて結露が生じる。
【００１０】
本発明の一の目的は、冷蔵庫／冷凍庫のガラスドア上の結露を、ガラス表面およびそのドアを具えるドアフレームを電気的にヒーティングすることなく、除去する手段を提供することである。
【００１１】
本発明の別の目的は、冷蔵庫／冷凍庫のガラス表面およびドアフレームの上の結露を低減／除去する手段であって、実質的に稼動及び製造コストを低減する手段を提供することである。
【００１２】
本発明の更なる目的は、冷蔵庫／冷凍庫のガラスドアの上の結露を低減／除去し、ガラス表面とドアを含むドアフレームを電気的にヒーティングする必要性を事前になくす機械的手段を提供することである。
【００１３】
本発明の更なる目的は、限定するものではないが、窓やドアなどの２重／３重のガラス構造を絶縁し、このような構造上生じる望ましくない結露を低減または除去する代替手段を提供することである。
【００１４】
本発明の更なる目的は、冷蔵庫／冷凍庫のガラス表面及びドアフレーム上の結露を、冷蔵庫／冷凍庫のドアのガラス表面及びドアフレームの電気的ヒーティングに関連するコストとメンテナンスがかかることなく、低減／除去する機械的手段を提供することである。
【００１５】
本発明の更なる目的は、ガラスをはめた冷蔵庫／冷凍庫のドア構造に代る代替手段であって、ガラスパネルが、封入した金属、コンポジット、あるいは熱プラスチックフレーム内に封入したガラスユニットを装着する必要のないあらかじめ組み立てられたフレーム内に設置されている代替手段を提供することである。
【００１６】
本発明の更なる目的は、封入したガラスユニットを製造する必要のない、ガラスをはめた冷蔵庫／冷凍庫のドア構造に代る代替手段を提供することである。
【００１７】
本発明の更なる目的は、ドアフレームを締結するスチール製の締結具などを使用することのない、ガラスをはめた冷蔵庫／冷凍庫のドア構造に代る代替手段を提供することである。
【００１８】
本発明は、電気的ヒーティングエレメントの必要がない、ガラスの冷蔵庫／冷凍庫ドア上の結露を低減／除去する公知の方法の新規な代替を提供するものである。
【００１９】
本発明はまた、２重／３重ガラス窓を絶縁および製造する公知の方法の新規代替を提供しようとするものである。
【００２０】
広い形での本発明の装置の特徴は：
冷却カップボード、冷蔵庫、冷凍庫などの内容物を絶縁するのに使用するドアを具え、当該ドアが；
周辺フレームと、
前記フレームに連結した第１の壁と、
前記フレームに連結し、前記第１の壁に対向する第２の壁であって、前記第１及び第２の壁がそれらの間に内部空間を規定する第２の壁と；を具え、
前記ドアがさらに、前記内部空間に、前記第１の壁を前記第２の壁から絶縁して３重ガラスユニットを構成する中間壁部材を具えることである。
【００２１】
もう一つの広い形式における本発明は：
内部スペースを規定する内側および外側ガラスパネルを有する２重／３重のガラスの絶縁冷蔵庫／冷凍庫ドアを具え、前記内部空間が、前記一の前記ガラスパネルをその他のパネルから絶縁する平面絶縁壁部材を具え、これによって前記ガラスパネル上の結露を低減／除去するものである。
【００２２】
好ましい実施例によれば、前記第１及び第２のパネルが、前記内部空間を規定するガラス板を具える。前記平坦絶縁壁部材は、好ましくは、前記ガラス板間の中間に装着された透明の熱プラスチック材料である。
【００２３】
好ましくは、この皮膜は透明であり、ガラス、パースペクス（Perspex登録商標）、熱プラスチックなどであっても良い。一の実施例では、プラスチックの押し出し成型品を用いて、やはり、ガラスパネルスペーサとして作用し、装着されるドア／窓フレームを提供している。
【００２４】
もう一つの広い形式において、本発明は：
前記内部空間を規定する二つのガラス板を配置するフレームを有するパネルを具え；前記熱プラスチックフレームと組み合わせて少なくとも二つの最適な大きさの内部空間を形成する少なくとも一つの内部平坦部材を具える内部空間が、前記二つのガラス板を絶縁しており、これによって、前記ガラス板上の結露を低減又は除去している。
【００２５】
方法の態様におけるもう一つの広い形式では、本発明は、内部空間を規定する二つのガラス板を配置する熱プラスチックフレームを具えるパネルを構成する方法であって；この内部空間が、前記二つのガラス板を絶縁する少なくとも一の内部平坦部材を具え、これによって、ガラス板とドアフレーム上の結露を低減または除去しており；
当該方法は：
ａ）所定のサイズの二つのガラス板を準備するステップと；
ｂ）絶縁部材を準備するステップと；
ｃ）熱プラスチック押し出し成型品からフレームを構成するステップと；
ｄ）前記第１のガラス板を前記フレームの内部ショルダに取り付けるステップと；
ｅ）前記絶縁部材を前記フレームの、前記フレーム構造内に含まれる中央スペーサバーによって規定される中央位置に取り付けるステップと；
ｆ）前記第２のガラスパネルを前記フレームの外側表面に、パネル同士が対向する関係になり、前記絶縁部材を収納する前記内部空間を規定するように取り付けるステップと；
を具える。
【００２６】
この方法は、更に、前記平坦絶縁部材を前記第１及び第２の皮膜から最適なスペースをあけて、等距離で配置するステップを具える。
【００２７】
もう一つの広い形式の方法の態様では、本発明は：
内部空間を規定する二つの板を配置する熱プラスチック周辺フレームを有するパネルを構成する方法であって；前記内部空間が、二つのガラス板を絶縁する少なくとも一の内部平坦絶縁部材を具え、これによって、前記ガラス板とフレーム上の結露を低減又は除去する方法を具え；
当該方法が：
ａ）所定のサイズの二つのガラス板を準備するステップと；
ｂ）絶縁部材を準備するステップと；
ｃ）熱プラスチック押し出し成型品から、完体のフレームが３つのショルダ領域を有するようにフレームを構成するステップと；
ｄ）前記第１のガラス板を前記フレームの内側ショルダに取り付けるステップと；
ｅ）前記絶縁部材を前記フレームに、前記フレームの外側表面に関連する中央位置に配置された前記フレームの第２のショルダに取り付けるステップと；
ｆ）前記第２のガラス板を第３のショルダに取り付けて、前記パネルの外側表面を形成するステップと；
を具え、前記ガラス板が、前記第１及び第２の板が内部パネルを規定するように配置されており、前記絶縁部材が前記第１及び第２の板の中間に位置している。
【００２８】
前記板は、透明ガラスであることが好ましい。
【００２９】
完体の絶縁ガラスドア／窓は：ドアフレーム；前記フレームに硬質接着剤で固定した少なくとも二つのガラス及び／又はプラスチックの板と；シーラントと；水分吸収粒と；空気および/またはアルゴンガスと；ガスケットと；を具えることが好ましい。
【００３０】
前記ガラス又はプラスチックの板は、ドアフレームと板マウントの双方を形成しているプラスチック押し出し成型品で支持されていることが好ましい。この押し出し成型されたプラスチックは、各ドアあるいは窓ユニットに合致するようにカットし、溶接することが好ましい。ガラスパネルは、成型体の装着面に装着されていることが好ましく、クリアな硬質熱プラスチック板が、ガラス板の間の中間に装着されている。この板を装着面に取り付けるには、硬質接着剤を用いることが好ましい。
【００３１】
前記ガラスとプラスチックの板は、空気及び／又はアルゴンガスで満たされたキャビティを有する最適な絶縁を提供するようにスペースが開けられていることが好ましく、ガスは水平ドアフレーム部材に設けられたラテックスバルブを介して注入される。乾燥チャンバをプラスチック成型品に形成し、水分吸収粒の乾燥剤を詰めて、溶接する前にプラスチックのキャップを用いて封入する。
【００３２】
本明細書を通して、コンテキストが許す限り、ドアの符号を窓の符号に用いることがある。また、コンテキストが許す限り、窓の符号をドアの符号に用いても良い。本発明は、主にパネルをドアとして使用するように述べられているが、パネルは、様々なアプリケーションに用いて、パネルとドアフレームの一つのあるいはその他の外側の壁の所望しない結露を低減／除去するのに使用できることは、当業者には自明である。
【００３３】
詳細な説明
図１を参照すると、一実施例にかかるドアパネル１の分解斜視図が示されている。ドアパネル１は、長辺３および４と、短辺５および６を有する周辺フレーム２を具える。取り付けられた内側フレーム２は、ガラスパネル７及び８であり、対向する関係で配置されており、これらのパネル間に内部空間９を規定している。内部空間９は、その中に絶縁部材１０を受けて保持している。絶縁部材１０は、パネル７および８から等距離になるようにスペースを開けて配置されており、パネル７および８がそれぞれから相互に隔離されることが好ましい。パネル１は更に、ガスケット溝（図３を参照）に固定されたマグネットガスケット１１を具えている。
【００３４】
図２は、図１で説明したパネル１の配置に従って構成された３つのドア１３、１４、１５を有する冷蔵ユニット１２の前側正面図である。冷蔵／冷凍ユニット１２は、通常、冷却された内部と、冷蔵庫／冷凍庫の内容物が外から見えるようにする透明のドアを有する工業用の冷蔵／冷凍庫である。従来は、ドアの一方の側が冷蔵温度に晒されており、他方の側が周辺室温に晒されているので、ドアの外側表面に結露が形成されることが問題であった。このことで、ガラス板とドアフレームの外側に結露ができる可能性が必然的に生じており、したがって、冷蔵する内容物の妨げとなっていた。ドア１３、１４および１５は、図１を参照して述べたとおり、絶縁部材１０に相当する絶縁部材を有する。
【００３５】
図３は、省略したフレーム１６の拡大した断面図であり、取り付けたガラスパネルと中間の絶縁パネルを有する押し出し成型品を具える。熱プラスチックから製造した押し出し成型品２０は、内部空間２３、２４、２５、および２６を規定する外側壁２１と内側壁２２を具える。窓あるいはドアとして機能するパネルを形成するプラスチックの押し出し成型品が提供されていることが好ましい。プラスチックフレームの押し出し成型品２０は、ドア／窓を取り付ける冷蔵ユニット２７に合うように切って溶接されている。ガラス板２８と２９は、各々の装着面３０と３１の上に装着されている。また、表面３２を介して押し出し成型品２０に取り付けられているのは、ガラス板２８と２９の間の中間に装着されているクリアな硬質熱プラスチック絶縁部材３３である。ガラス板２８と２９、及び絶縁部材３３は、硬質接着剤を用いて各々の装着面に取り付けられている。ガラスパネル２８と２９およびプラスチックの絶縁部材３３は、空気及び／又はアルゴンガスで満たされたキャビティ３４及び３５で最適な絶縁を提供するようにスペースを開けて配置されている。プラスチック押し出し成型品２０の更なる特徴は、ヒンジ及びねじれバー装着ポイント３６と、余剰な硬質接着剤のトラップ３７、３８および３９である。磁化したフレキシブルガスケット４４が、ガスケット保持溝４５に挿入されており、絶縁ガラスドアと、冷蔵／冷凍ユニット２７のドアバンドとの間に気密シールを提供している。
【００３６】
図４は、一の実施例にかかる絶縁ガラスドア用フレーム押し出し成型品４０の断面図である。空気及び／又はアルゴンガスが、押し出し成型品４０によって形成された水平ドアフレーム内に配置したラテックスバルブ（図示せず）を介して挿入される。プラスチック押し出し成型品４０内に形成されている乾燥チャンバ４１と４２を、縦フレーム部内に乾燥した水分吸収粒で満たし、溶接する前にプラスチックのキャップ（図３参照）を用いて封印する。
【００３７】
図５は、前から見たドアパネルフレーム５０の部分的正面図である。パネル５０は、上側フレーム部材５２と側部部材５３を具える。
【００３８】
図６は、上側フレーム部材５２と側部フレーム部材５３を具えるドアパネルフレームの一部の背面図（裏側）である。好ましいプラスチック押し出し成型品で形成したフレーム５０は、図７に示すように、パネル板５７、５８および５９を各々受けて保持する溝を規定する３つのショルダ部５４、５５および５６を伴って構成されている。
【００３９】
図７は、好ましい実施例によって取り付けた板を伴うパネルの断面を等尺で示す図である。方法の態様の一実施例によれば、典型的なパネルは、図７を参照して述べる方法によって構成することができる。
【００４０】
周辺フレーム５０は、金属またはプラスチック材料で構成することができる。フレーム材料は押し出し成型品したプラスチックであることが好ましい。典型的には、フレームは、上側部材５２と、押し出し成型品で形成し、板５７、５８、５９をそれぞれ受ける支持ショルダ５４、５５、５６を形成する溝を有する下側部材５３を具える。
【００４１】
板５７は、外側ドア面を形成し、板５９は内側ドア面を形成し、それぞれ内側空間６０を規定している。板５８は、内部空間６０内のショルダ５５上に配置されて、板５７と５９の絶縁を提供して結露を防ぐようにしている。
【００４２】
好ましい方法は：
ａ）所定のサイズの二つのガラス板５７と５９を準備するステップと；
ｂ）絶縁部材５８を準備するステップと；
ｃ）フレーム完体が３つのショルダ領域５４、５５および５６を有するようなプロファイルを有する熱プラスチック押し出し成型品からフレーム５０を構成するステップと；
ｄ）前記第１のガラス板５７をショルダ溝５４に周辺で係合するように取付、板を好ましくはショルダ５４の周辺に糊付けするステップと；
ｅ）ドアパネルの外側表面に対する中央位置に配置されたショルダ溝５５に絶縁部材５８を糊付けするステップと；
ｆ）板５９をショルダ５６に位置させて糊付けし、内部空間６０を密封し、板５７がパネル５０の外側表面を形成するステップと；
を具え、第１及び第２の板５７と５９が、第１及び第２の板の中間に位置する絶縁パネル５８で分割された内部空間６０を規定するように構成されている。この板は透明ガラスであることが好ましい。
【００４３】
図８は、一の実施例によってドアフレーム内に用いられている省略したフレーム押し出し成型品７０の拡大した断面図である。
【００４４】
好ましくは熱プラスチックから製造されたフレーム押し出し成型品７０は、外側壁７１と内側壁７２を具える。内側壁７２は、内部空間７３、７４を規定している。フレーム押し出し成型品のプロファイル７０は、窓、ドアなどであってもよい外側パネル構造を提供する。プラスチックフレーム押し出し成型品７０は、特定のアプリケーションに合うように切って溶接する。好ましい実施例では、冷蔵または冷凍ドアとして構成されている。板７７と７９は、好ましくはガラスからできており、各装着面８０と８２に装着されている。また、表面８１に取り付けられているのは、ガラス板７７と７９の中間に装着されたクリアな硬性熱プラスチック絶縁部材７８である。ガラス板７７と７９と絶縁部材７８は、好適な硬性シーリング接着剤を用いてそれぞれの装着面８０、８２、および８１に取り付けられている。ガラスパネル７７と７９、およびプラスチック絶縁部材７８は、空気及び／又はアルゴンガスを満たしたキャビティ７３と７４で最適な絶縁を提供するように空間を開けて配置されている。プラスチック押し出し成型品７０の更なる特徴は、装着の目的で、ヒンジおよびねじれバー（図示せず）を具える。
【００４５】
図９は、本発明によって構成された図８に示すドアパネル７０の半分を部分的に示す図であり、対応する符号が付されている。パネル７０は、絶縁ガラスドアと冷蔵庫／冷凍庫ユニット８５のドアバンドとの間に気密シールを提供するガスケット保持溝８４内に挿入した磁化したフレキシブルガスケット８３を具える。
【００４６】
以上の説明から、本発明の絶縁ドア／窓アッセンブリが、モダンな実質的に全面がガラスの外観であって、業界で使われていた従来の絶縁ドアと窓の効率と強度を上げたものを有することがわかる。このドア／窓アッセンブリは、単一のユニットを具えるようにより少ない部品を要求しているので、弛みを起こす構造上の不安定性がなくなり、製造コストが大きく低減され、電気的ヒーティングを除去することで操作コストが実質的に下がる。
【００４７】
本発明にかかるパネルの製造は、ヒーティングエレメント装置を有する公知の典型的な商業的に入手可能な冷蔵または冷凍庫のドアと比較して、潜在的に部品代を６０％節約し、労働力を５０％節約する。本発明によって製造したパネルあるいはドアは、付属のヒーティングエレメント、あるいは関連するヒーティング装置がまったく不要であり、関連する材料や労働力も不要である。構成方法によって、パネルがヒーティングエレメントを使用することなく結露を除去するように機能する。この結果、ヒーティングエレメントが必要ないので、ヒーティングエレメントを必要とする同じ比率のパネル又はドアに比較して、最大５５％までのエネルギィの節約が見込まれる。
【００４８】
本発明の一つの利点は、フレーム内に最終的に封入する前にガラスパネルから離れてスペースを設けるのに従来使用されていたスペーサを設ける必要がない。従来は、パネルを層状にすることと、パネル間にあらかじめ決められた距離を設定するスペースで分けた状態にパネルを維持することによって、パネルを構築していた。パネルを完成するには板のエッジの周囲に金属フレームを取り付けていた。このことによって、パネルが比較的重くなり、構成するのに大きな労働力が必要となる。本発明によるパネルは、スペーサが不要であり、同様のサイズの公知のパネルに比して軽量である。好ましいフレームは、有意な重量の低減に寄与する押し出し成型品したプラスチックで作ることが好ましい。
【００４９】
本発明の精神及び範囲から外れることなく、ここに広く記載したように様々な変形例や変更例を本発明に行うことができることを当業者は認識するであろう。
【図面の簡単な説明】
【００５０】
限定するものではなく、好ましい実施例によって、添付の図面を参照して、本発明を以下により詳細に述べる。
【図１】図１は、一の実施例にかかるドアパネルの分解斜視図である。
【図２】図２は、一の実施例にかかる３つのドアを有する冷蔵ユニットの正面図である。
【図３】図３は、取り付けたガラスパネルと中間絶縁パネルを有する縮小フレーム押し出し成型品を拡大した断面図である。
【図４】図４は、一の実施例にかかる、絶縁ガラスドア用のフレーム押し出し成型品の断面図である。
【図５】図５は、前面からみたドアパネルフレームの部分的正面図である。
【図６】図６は、背面から見たドアパネルフレームの部分的背面図である。
【図７】図７は、好ましい実施例によって取り付けた板を有するパネル部分の等尺図である。
【図８】図８は、一の実施例にかかるドアフレームに使用されている押し出し成型品の拡大した断面図である。
【図９】図９は、取り付けた板を有するパネル部分の断面図である。
【図１】
2007504424.tif 000003
【図２】
2007504424.tif 000004
【図３】
2007504424.tif 000005
【図４】
2007504424.tif 000006
【図５】
2007504424.tif 000007
【図６】
2007504424.tif 000008
【図７】
2007504424.tif 000009
【図８】
2007504424.tif 000010
【図９】
2007504424.tif 000011
【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
実質的に平坦な絶縁パネルにおいて：
前記パネルの周辺を規定するフレームと；
前記フレームによって保持される第１の壁と、前記第１の壁に対向し、前記第１の壁と前記フレームと共に前記パネルの封入内部空間を規定する第２の壁と；
前記第１及び第２の壁部材の中間に、前記内部空間内に配置された少なくとも一の中間壁であって、前記絶縁壁と前記第１の壁の間の内部空間に第１の封入空間を作り、前記絶縁壁と前記第２の壁との間の内部空間に第２の封入空間を作り、前記絶縁壁が前記第１の壁を前記第２の壁から絶縁している中間壁と；を具え、
前記フレームが押し出し成型されたプロファイルを具え；
前記プロファイルが、前記壁を受けて保持する一連のスペースを開けて配置された装着面を有し、前記装着面が、前記壁の面積が前記パネルの一方の側から他方の側にむかう方向において順次小さくなり、前記壁が互いから順次スペースを開けて配置されるように、構成されていることを特徴とするパネル。
【請求項２】
請求項１に記載のパネルにおいて、前記フレームが単一構造であって、前記押し出し成型されたフレームのプロファイルが留め継ぎされて、機械的な始点または終点のない連続プロファイルを形成することを特徴とするパネル。
【請求項３】
請求項２に記載のパネルにおいて、断面での前記留め継ぎが溶接されていることを特徴とするパネル。
【請求項４】
請求項３に記載のパネルにおいて、断面での前記フレームプロファイルが水分吸収乾燥剤保持用の少なくとも一のキャビティを有することを特徴とするパネル。
【請求項５】
請求項４に記載のパネルにおいて、前記キャビティが前記フレームの溶接に先立ってシールされていることを特徴とするパネル。
【請求項６】
請求項５に記載のパネルにおいて、高さ方向における前記フレームプロファイルが、前記キャビティが前記第１及び／又は第２の封入スペースと連通するように前記装着表面間に位置するパーフォレーションを具え、前記パーフォレーションが、並列している封入スペースからのみ水分を吸収できることを特徴とするパネル。
【請求項７】
請求項６に記載のパネルにおいて、断面での前記フレームプロファイルが絶縁を提供するように構成されたキャビティを具えることを特徴とするパネル。
【請求項８】
請求項７に記載のパネルにおいて、前記壁が紫外線調整特性または熱調整特性のいずれかを有する硬化または半硬化接着剤を用いて前記装着面に接着されていることを特徴とするパネル。
【請求項９】
請求項８に記載のパネルにおいて、前記装着面が前記壁を接着するのに使用した余剰接着剤用のトラップとして働く一またはそれ以上の溝を有することを特徴とするパネル。
【請求項１０】
請求項９に記載のパネルにおいて、前記第１及び／又は第２の封入スペースが、シールされており、空気、アルゴンガス、発泡体、あるいはその他の絶縁材料で満たされていることを特徴とするパネル。
【請求項１１】
請求項１０に記載のパネルにおいて、前記フレームが、前記パネルと前記パネルを取り付ける製品との間に気密シールを提供する磁化されたフレキシブルシーリングガスケットを保持するように構成されたガスケット保持溝を具えることを特徴とすることを特徴とするパネル。
【請求項１２】
請求項１１に記載のパネルにおいて、前記フレームプロファイルが、ヒンジの挿入及び装着用の定着溝を具えることを特徴とするパネル。
【請求項１３】
請求項１乃至１２のいずれかに記載のパネルにおいて、前記フレームが熱プラスチック材料でできていることを特徴とするパネル。
【請求項１４】
請求項１３に記載のパネルにおいて、前記壁がガラスあるいは熱プラスチックの板でできていることを特徴とするパネル。
【請求項１５】
内部空間を規定している二つの壁を配置するフレームを具える実質的に平坦な絶縁パネルを構築する方法であって；少なくとも一の内部絶縁壁を含む内部スペースが前記二つの外側壁を絶縁しており、これによって前記フレームの外側壁の結露を低減または除去する方法において：
ａ）所定のサイズの二つの壁を提供するステップと；
ｂ）絶縁壁部材を提供するステップと；
ｃ）前記壁を受けて保持する一連のスペースを開けて配置された装着面を有するフレームを構築するステップであって、前記装着面が、前記壁の面積が前記パネルの一方の側から他方の側に順次小さくなり、前記壁が互いから順次スペースを開けて配置されるようにカスケードシリーズに配置されているステップと；
ｄ）前記第１の壁を前記フレームの内側装着面に取り付けるステップと；
ｅ）前記絶縁部材を、前記フレームの外側面に関連する中央位置で前記フレームの第２の装着面に取り付けるステップと；
ｆ）前記第２の壁を前記フレームの第３の装着面に、前記壁が対抗する関係になり、前記絶縁部材を収納する内部スペースを規定するように取り付けるステップと；
を具えることを特徴とする方法。
【請求項１６】
請求項１５に記載の方法が、前記絶縁壁部材を、前記第１及び第２の壁から最適スペースを開けて均等に配置するステップを更に具えることを特徴とする方法。
【手続補正２】
【補正対象書類名】明細書
【補正対象項目名】全文
【補正方法】変更
【補正の内容】
【発明の詳細な説明】
【技術分野】
【０００１】
発明の背景
本発明は、絶縁ガラスドアおよび窓構造の改良に関するものであり、特にこのようなガラスドアの外側面および窓構造の内側面の結露を防ぐあるいは低減する装置及び方法に関する。より詳しくは、本発明は、ガラスのはまった窓（熱及び音の遮蔽用に用いる）と冷蔵庫、特に工業用及び商業用の冷蔵庫と共に使用されるような、絶縁ガラスでできたドア／窓構造の構造上の改良に関する。本発明は、また、絶縁ガラスドア及び窓の製造経費の改良に関する。本発明は、主にガラスのドアにおける用途、および特に冷蔵庫としてのこのような用途に使用される３重にガラスのはまったドアについて述べられているが、本発明がガラスを使用する窓およびあらゆる構造におけるその他の領域の用途に用いることができ、２重あるいは３重のガラス窓に限定されるものでないことは、当業者には自明である。
【背景技術】
【０００２】
従来技術
工業用および商業用の冷蔵庫、特に、店頭や様々な施設で使用されている冷蔵キャビネットでは、冷蔵されている内容物を絶縁するために、２重及び／又は３重のガラスのはまったドアが使用されている。
【０００３】
例えば冷蔵庫、冷凍庫、その他におけるガラスドア構造など、保存コンパートメント内で周辺外気温度と実質的に異なる温度を維持する必要があるところのいくつかのガラスドア構造は、結露を防ぐためにドアフレームと外側ガラスパネルを暖める電流と金属フィルムが用いられており、収納されている品物にクリアな可視性を提供している。
【０００４】
このような従来のガラスドアは、ガラスドア自体を電気的に暖める必要があるばかりでなく、熱が伝導するために、内部の冷蔵を維持するために更なるエネルギィを必要とする。
【０００５】
更に、従来の絶縁ガラスドアは、一つのガラスユニット完体をつくるためにスペーサバーに固定した平行なガラス板を具えている。この絶縁ガラスユニットは、絶縁ガラスドアの構造を完成するために、金属またはコンポジット構造の周辺ドアフレーム内に封入される。ドアパネルとドアフレームを最適な温度に維持するのに必要な加熱装置は、ドアと冷蔵庫／冷凍庫の全体のコストを高くすると共に、ドアパネルとドアフレームの構造を複雑なものにし、追加の回路が必要であり、一般的に使用されている空調機同様に冷蔵庫／冷凍庫のランニングコストが必要である。
【０００６】
冷蔵庫／冷凍庫のドア内またはドアの上、特に二重／三重窓を有する冷蔵庫／冷凍庫のドアの上の結露を防止する、より効率が良くて経済的な手段を提供することが業界において長い間求められていた。
【０００７】
発明の概要
本発明は、冷蔵庫、特に工業用および商業用の冷蔵庫に関連して使用される絶縁ガラスドア構造体の構造に改良を提供するものであり、ガラスおよびドアフレームの表面につく結露を低減あるいは除去する手段が提供されている。このような冷蔵庫／冷凍庫のドアのガラス表面は、透明性を保って顧客が冷蔵庫／冷凍庫の内容物を検分できることが求められる。
【０００８】
ここに述べる本発明が様々な変更および変形が可能であり、ここに述べている図に示す実施例は限定的なものでないことは、当業者には自明である。したがって、図面に示す実施例は、本発明の単なる実装例に過ぎない。本発明の範囲内に入る様々な実施例、代替の構造、均等物がある。
【０００９】
冷蔵庫／冷凍庫のキャビネットのドアに適用される以下に述べる本発明は、ドアまたは窓などで低温で比較的ドライエアの領域をより高い温度とより高い相対湿度を有する領域から分離する様々なアプリケーションに適用することができる。後者のケースでは、本発明にかかるパネルは、外側表面に通常生じるであろう結露を防止するのに使用することができる。この外側表面では、一方の側の温度が十分に低く、他方の側に伝導されて結露が生じる。
【００１０】
本発明の一の目的は、冷蔵庫／冷凍庫のガラスドア上の結露を、ガラス表面およびそのドアを具えるドアフレームを電気的にヒーティングすることなく、除去する手段を提供することである。
【００１１】
本発明の別の目的は、冷蔵庫／冷凍庫のガラス表面およびドアフレームの上の結露を低減／除去する手段であって、実質的に稼動及び製造コストを低減する手段を提供することである。
【００１２】
本発明の更なる目的は、冷蔵庫／冷凍庫のガラスドアの上の結露を低減／除去し、ガラス表面とドアを含むドアフレームを電気的にヒーティングする必要性を事前になくす機械的手段を提供することである。
【００１３】
本発明の更なる目的は、限定するものではないが、窓やドアなどの２重／３重のガラス構造を絶縁し、このような構造上生じる望ましくない結露を低減または除去する代替手段を提供することである。
【００１４】
本発明の更なる目的は、冷蔵庫／冷凍庫のガラス表面及びドアフレーム上の結露を、冷蔵庫／冷凍庫のドアのガラス表面及びドアフレームの電気的ヒーティングに関連するコストとメンテナンスがかかることなく、低減／除去する機械的手段を提供することである。
【００１５】
本発明の更なる目的は、ガラスをはめた冷蔵庫／冷凍庫のドア構造に代る代替手段であって、ガラスパネルが、封入した金属、コンポジット、あるいは熱プラスチックフレーム内に封入したガラスユニットを装着する必要のないあらかじめ組み立てられたフレーム内に設置されている代替手段を提供することである。
【００１６】
本発明の更なる目的は、封入したガラスユニットを製造する必要のない、ガラスをはめた冷蔵庫／冷凍庫のドア構造に代る代替手段を提供することである。
【００１７】
本発明の更なる目的は、ドアフレームを締結するスチール製の締結具などを使用することのない、ガラスをはめた冷蔵庫／冷凍庫のドア構造に代る代替手段を提供することである。
【００１８】
本発明は、電気的ヒーティングエレメントの必要がない、ガラスの冷蔵庫／冷凍庫ドア上の結露を低減／除去する公知の方法の新規な代替を提供するものである。
【００１９】
本発明はまた、２重／３重ガラス窓を絶縁および製造する公知の方法の新規代替を提供しようとするものである。
【００２０】
広い形での本発明の装置の特徴は、実質的に平坦な絶縁パネルにおいて：
パネル周辺を規定するフレームと；
前記フレームによって保持される第１の壁と、前記第１の壁に対向しており、前記第１の壁と前記フレームと共に前記パネルの封入内部スペースを規定する第２の壁と；
前記第１及び第２の壁部材の中間に、前記内部空間内に配置された少なくとも一の中間壁であって、前記絶縁壁と前記第１の壁の間の内部空間に第１の封入空間を作り、前記絶縁壁と前記第２の壁との間の内部空間に第２の封入空間を作り、前記絶縁壁が前記第１の壁を前記第２の壁から絶縁している中間壁と；を具え、
前記フレームが押し出し成型されたプロファイルを具え；
前記プロファイルが、前記壁を受けて保持する一連のスペースを開けて配置された装着面を有し、前記装着面が、前記壁の面積が前記パネルの一方の側から他方の側にむかう方向において順次小さくなり、前記壁が互いから順次スペースを開けて配置されるように、構成されている。
【００２１】
前記フレームが単一構造であって、前記押し出し成型されたプロファイルが留め継ぎされて、機械的な始点または終点のない連続プロファイルを形成することが好ましい。好ましくは、この留め継ぎは溶接されている。
【００２２】
断面での前記フレームプロファイルは、水分吸収乾燥剤保持用の少なくとも一のキャビティを有していてもよい。このキャビティが前記フレームの溶接に先立ってシールされているのが有利である。同様に、高さ方向における前記フレームプロファイルが、前記キャビティが前記第１及び／又は第２の封入スペースと連通するように前記装着表面間に位置するパーフォレーションを具え、前記パーフォレーションが、並列している封入スペースからのみ水分を吸収できるようにしてもよい。断面での前記フレームプロファイルは絶縁を提供するように構成されたキャビティを具えていてもよい。
【００２３】
前記壁が紫外線調整特性または熱調整特性のいずれかを有する硬化または半硬化接着剤を用いて前記装着面に接着されていることが好ましい。更に、前記装着面が前記壁を接着するのに使用した余剰接着剤用のトラップとして働く一またはそれ以上の溝を有していてもよい。
【００２４】
前記第１及び／又は第２の封入スペースが、シールされており、空気、アルゴンガス、発泡体、あるいはその他の絶縁材料で満たされていることが好ましい。
【００２５】
前記フレームは、前記パネルと前記パネルを取り付ける製品との間に気密シールを提供する磁化されたフレキシブルシーリングガスケットを保持するように構成されたガスケット保持溝を具えていてもよい。同様に、前記フレームは、ヒンジの挿入及び装着用の定着溝を具えていても良い。
【００２６】
好ましい実施例に拠れば、前記フレームが熱プラスチック材料でできており、前記第１及び第２の壁がガラスあるいは熱プラスチックの板でできている。平坦絶縁壁部材は、ガラス板間の中ほどに装着した透明熱プラスチック材料であることが好ましい。
【００２７】
前記フレームは、半硬化熱プラスチック材料でできていても良く、前記ガラス板またはプラスチック板の壁は、当該板がパネル構造の剛性を提供するように構成されている。
【００２８】
フレームに熱プラスチック材料を使用することによって、留め継ぎを、強力なジョイントを提供するシンプルで、迅速、かつ便利なプロセスである熱ミラー溶接によって形成することができる。
【００２９】
好ましくは、前記壁は透明であり、ガラス、パースペックス（Perspex、登録商標）、熱プラスチックなどであってもよい。一の実施例によれば、プラスチック押し出し成型品を用いて、ガラスパネルスペーサと装着面としても働くフレームを提供するようにしても良い。
【００３０】
方法の態様のもう一つの広い形式では、本発明は、内部空間を規定している二つの壁を配置するフレームを具える実質的に平坦な絶縁パネルを構築する方法であって；少なくとも一の内部絶縁壁を含む内部スペースが前記二つの外側壁を絶縁しており、これによって前記フレームの外側壁の結露を低減または除去する方法において：
ａ）所定のサイズの二つの壁を提供するステップと；
ｂ）絶縁壁部材を提供するステップと；
ｃ）前記壁を受けて保持する一連のスペースを開けて配置された装着面を有するフレームを構築するステップであって、前記装着面が、前記壁の面積が前記パネルの一方の側から他方の側に順次小さくなり、前記壁が互いから順次スペースを開けて配置されるようにカスケードシリーズに配置されているステップと；
ｄ）前記第１の壁を前記フレームの内側装着面に取り付けるステップと；
ｅ）前記絶縁部材を、前記フレームの外側面に関連する中央位置で前記フレームの第２の装着面に取り付けるステップと；
ｆ）前記第２の壁を前記フレームの第３の装着面に、前記壁が対抗する関係になり、前記絶縁部材を収納する内部スペースを規定するように取り付けるステップと；
を具える。
【００３１】
この方法は、更に、前記絶縁壁部材を、前記第１及び第２の壁から最適スペースを開けて均等に配置するステップを具えていてもよい。
【００３２】
本明細書を通して、コンテキストが許す限り、ドアの符号を窓の符号に用いることがある。また、コンテキストが許す限り、窓の符号をドアの符号に用いても良い。本発明は主にドアを引用して述べられているが、本発明のパネルは、様々なアプリケーションに用いて、パネルとドアフレームの一つのあるいはその他の外側の壁の所望しない結露を低減／除去するのに使用できることは、当業者には自明である。
【００３３】
詳細な説明
図１を参照すると、一実施例にかかるドアパネル１の分解斜視図が示されている。ドアパネル１は、長辺３および４と、短辺５および６を有する周辺フレーム２を具える。取り付けられた内側フレーム２は、ガラスパネル７及び８であり、対向する関係で配置されており、これらのパネル間に内部空間９を規定している。内部空間９は、その中に絶縁部材１０を受けて保持している。絶縁部材１０は、パネル７および８から等距離になるようにスペースを開けて配置されており、パネル７および８がそれぞれから相互に隔離されることが好ましい。パネル１は更に、ガスケット溝(図３を参照)に固定されたマグネットガスケット１１を具えている。
【００３４】
図２は、図１で説明したパネル１の配置に従って構成された３つのドア１３、１４、１５を有する冷蔵ユニット１２の前側正面図である。冷蔵／冷凍ユニット１２は、通常、冷却された内部と、冷蔵庫／冷凍庫の内容物が外から見えるようにする透明のドアを有する工業用の冷蔵／冷凍庫である。従来は、ドアの一方の側が冷蔵温度に晒されており、他方の側が周辺室温に晒されているので、ドアの外側表面に結露が形成されることが問題であった。このことで、ガラス板とドアフレームの外側に結露ができる可能性が必然的に生じており、したがって、冷蔵する内容物の妨げとなっていた。ドア１３、１４および１５は、図１を参照して述べたとおり、絶縁部材１０に相当する絶縁部材を有する。
【００３５】
図３は、省略したフレーム１６の拡大した断面図であり、取り付けたガラスパネルと中間の絶縁パネルを有する押し出し成型品を具える。熱プラスチックから製造した押し出し成型品２０は、内部空間２３、２４、２５、および２６を規定する外側壁２１と内側壁２２を具える。窓あるいはドアとして機能するパネルを形成するプラスチックの押し出し成型品が提供されていることが好ましい。プラスチックフレームの押し出し成型品２０は、ドア／窓を取り付ける冷蔵ユニット２７に合うように切って溶接されている。ガラス板２８と２９は、各々の装着面３０と３１の上に装着されている。また、表面３２を介して押し出し成型品２０に取り付けられているのは、ガラス板２８と２９の間の中間に装着されているクリアな硬質熱プラスチック絶縁部材３３である。ガラス板２８と２９、及び絶縁部材３３は、硬質接着剤を用いて各々の装着面に取り付けられている。ガラスパネル２８と２９およびプラスチックの絶縁部材３３は、空気及び／又はアルゴンガスで満たされたキャビティ３４及び３５で最適な絶縁を提供するようにスペースを開けて配置されている。プラスチック押し出し成型品２０の更なる特徴は、ヒンジ及びねじれバー装着ポイント３６と、余剰な硬質接着剤のトラップ３７、３８および３９である。磁化したフレキシブルガスケット４４が、ガスケット保持溝４５に挿入されており、絶縁ガラスドアと、冷蔵／冷凍ユニット２７のドアバンドとの間に気密シールを提供している。
【００３６】
図４は、一の実施例にかかる絶縁ガラスドア用フレーム押し出し成型品４０の断面図である。空気及び／又はアルゴンガスが、押し出し成型品４０によって形成された水平ドアフレーム内に配置したラテックスバルブ（図示せず）を介して挿入される。プラスチック押し出し成型品４０内に形成されている乾燥チャンバ４１と４２を、縦フレーム部内に乾燥した水分吸収粒で満たし、溶接する前にプラスチックのキャップ（図３参照）を用いて封印する。
【００３７】
図５は、前から見たドアパネルフレーム５０の部分的正面図である。パネル５０は、上側フレーム部材５２と側部部材５３を具える。
【００３８】
図６は、上側フレーム部材５２と側部フレーム部材５３を具えるドアパネルフレームの一部の背面図（裏側）である。好ましいプラスチック押し出し成型品で形成したフレーム５０は、図７に示すように、パネル板５７、５８および５９を各々受けて保持する溝を規定する３つのショルダ部５４、５５および５６を伴って構成されている。
【００３９】
図７は、好ましい実施例によって取り付けた板を伴うパネルの断面を等尺で示す図である。方法の態様の一実施例によれば、典型的なパネルは、図７を参照して述べる方法によって構成することができる。
【００４０】
周辺フレーム５０は、金属またはプラスチック材料で構成することができる。フレーム材料は押し出し成型品したプラスチックであることが好ましい。典型的には、フレームは、上側部材５２と、押し出し成型品で形成し、板５７、５８、５９をそれぞれ受ける支持ショルダ５４、５５、５６を形成する溝を有する下側部材５３を具える。
【００４１】
板５７は、外側ドア面を形成し、板５９は内側ドア面を形成し、それぞれ内側空間６０を規定している。板５８は、内部空間６０内のショルダ５５上に配置されて、板５７と５９の絶縁を提供して結露を防ぐようにしている。
【００４２】
好ましい方法は：
ａ）所定のサイズの二つのガラス板５７と５９を提供するステップと；
ｂ）絶縁部材５８を提供するステップと；
ｃ）フレーム完体が３つのショルダ領域５４、５５および５６を有するようなプロファイルを有する熱プラスチック押し出し成型品からフレーム５０を構成するステップと；
ｄ）前記第１のガラス板５７をショルダ溝５４に周辺で係合するように取付けるステップ（好ましくは板をショルダ５４の周辺に糊付けする）と；
ｅ）ドアパネルの外側表面に対する中央位置に配置されたショルダ溝５５に絶縁部材５８を糊付けするステップと；
ｆ）板５９をショルダ５６に位置させて糊付けし、内部空間６０を密封するステップ（板５７がパネル５０の外側表面を形成する）と；
を具え、第１及び第２の板５７と５９が、第１及び第２の板の中間に位置する絶縁パネル５８で分割された内部空間６０を規定するように構成されている。この板は透明ガラスであることが好ましい。
【００４３】
図８は、一の実施例によってドアフレーム内に用いられている省略したフレーム押し出し成型品７０の拡大した断面図である。好ましくは熱プラスチックから製造されたフレーム押し出し成型品７０は、外側壁７１と内側壁７２を具える。内側壁７２は、内部空間７３及び７４を規定している。フレーム押し出し成型品のプロファイル７０は、窓、ドアなどであってもよい外側パネル構造を提供する。プラスチックフレーム押し出し成型品７０は、特定のアプリケーションに合うように切って溶接する。好ましい実施例では、冷蔵または冷凍ドアとして構成されている。板７７と７９は、好ましくはガラスからできており、各装着面８０と８２に装着されている。また、表面８１に取り付けられているのは、ガラス板７７と７９の中間に装着されたクリアな硬性熱プラスチック絶縁部材７８である。ガラス板７７と７９と絶縁部材７８は、好適な硬性シーリング接着剤を用いてそれぞれの装着面８０、８２、および８１に取り付けられている。ガラスパネル７７と７９、およびプラスチック絶縁部材７８は、空気及び／又はアルゴンガスを満たしたキャビティ７３と７４で最適な絶縁を提供するように空間を開けて配置されている。プラスチック押し出し成型品７０の更なる特徴は、装着の目的で、ヒンジおよびねじれバーキー溝（図示せず）を具える。
【００４４】
図９は、本発明によって構成された図８に示すドアパネル７０の半分を部分的に示す図であり、対応する符号が付されている。パネル７０は、絶縁ガラスドアと冷蔵庫／冷凍庫ユニット８５のドアバンドとの間に気密シールを提供するガスケット保持溝８４内に挿入した磁化したフレキシブルガスケット８３を具える。
【００４５】
以上の説明から、本発明の絶縁ドア／窓アッセンブリが、モダンな実質的に全面がガラスの外観であって、業界で使われていた従来の絶縁ドアと窓の効率と強度を上げたものを有することがわかる。このドア／窓アッセンブリは、単一のユニットを具えるようにより少ない部品を要求しているので、弛みを起こす構造上の不安定性がなくなり、製造コストが大きく低減され、電気的ヒーティングを除去することで操作コストが実質的に下がる。
【００４６】
本発明にかかるパネルの製造は、ヒーティングエレメント装置を有する公知の典型的な商業的に入手可能な冷蔵または冷凍庫のドアと比較して、潜在的に部品代を６０％節約し、労働力を５０％節約する。本発明によって製造したパネルあるいはドアは、付属のヒーティングエレメント、あるいは関連するヒーティング装置がまったく不要であり、関連する材料や労働力も不要である。構成方法によって、パネルがヒーティングエレメントを使用することなく結露を除去するように機能する。この結果、ヒーティングエレメントが必要ないので、ヒーティングエレメントを必要とする同じ比率のパネル又はドアに比較して、最大５５％までのエネルギィの節約が見込まれる。
【００４７】
本発明の一つの利点は、フレーム内に最終的に封入する前にガラスパネルから離れてスペースを設けるのに従来使用されていたスペーサバーを設ける必要がない。従来は、まずパネルを層状にすることと、パネルと形成した絶縁ガラスユニットとの間にあらかじめ決められた距離を設定するスペーサバーで分けた状態にパネルを維持することによって、パネルを構築していた。パネルを完成するには絶縁ガラスユニットの周囲に金属フレームを取り付けていた。このことによって、パネルが比較的重くなり、構成するのに大きな労働力が必要となる。本発明によるパネルは、スペーサバーや絶縁ガラスユニットの構築が不要であり、同様のサイズの公知のパネルに比して軽量である。好ましいフレームは、有意な重量とコンポネントの低減に寄与する押し出し成型品したプラスチックで作ることが好ましい。
【００４８】
本発明の精神及び範囲から外れることなく、ここに広く記載したように様々な変形例や変更例を本発明に行うことができることを当業者は認識するであろう。
【図面の簡単な説明】
【００４９】
限定するものではなく、好ましい実施例によって、添付の図面を参照して、本発明を以下により詳細に述べる。
【図１】図１は、一の実施例にかかるドアパネルの分解斜視図である。
【図２】図２は、一の実施例にかかる３つのドアを有する冷蔵ユニットの正面図である。
【図３】図３は、取り付けたガラスパネルと中間絶縁パネルを有する縮小フレーム押し出し成型品を拡大した断面図である。
【図４】図４は、一の実施例にかかる、絶縁ガラスドア用のフレーム押し出し成型品の断面図である。
【図５】図５は、前面からみたドアパネルフレームの部分的正面図である。
【図６】図６は、背面から見たドアパネルフレームの部分的背面図である。
【図７】図７は、好ましい実施例によって取り付けた板を有するパネル部分の等尺図である。
【図８】図８は、一の実施例にかかるドアフレームに使用されている押し出し成型品の拡大した断面図である。
【図９】図９は、取り付けた板を有するパネル部分の断面図である。
【国際調査報告】
2007504424.tif 000012
2007504424.tif 000013
2007504424.tif 000014
2007504424.tif 000015